(57)【要約】【課題】給紙装置とこれを搭載した画像形成装置において、機械幅サイズを小さくする。【解決手段】画像形成装置本体１００の側面に対して開閉動可能なシートＳの手差しトレイ６７と、その上に載置されたシートＳを次工程へ送り込むピックアップローラ６２と、ピックアップローラ６２を保持するとともに画像形成装置本体１００の側面に対してピックアップローラ６２とともに開閉動可能としたピックアップアーム６０とを有する。ピックアップアーム６０は、ピックアップローラ６２よりも手差しトレイ６７からの用紙搬送方向で上流側へ突出させて設けた先端接触部６０ｄを有する。手差しトレイ６７を上方回動させて閉じ、画像形成装置本体１００の側面の凹部１００ｂに収納する際に、先端接触部６０ｄが手差しトレイ６７の上面に当たり、ピックアップアーム６０を上方へ回動させて凹部１００ｂ内へ退避させる。【選択図】図６
2014125333.tif 000002
【特許請求の範囲】
【請求項１】
設置された機器の側面に対して開閉動可能な用紙の手差台と、
該手差台上に載置された用紙を次工程へ送り込むピックアップローラと、
前記ピックアップローラを保持するとともに前記機器の側面に対して前記ピックアップローラとともに開閉動可能としたアームと、
該アームに、前記ピックアップローラよりも前記手差台からの用紙搬送方向で上流側へ突出させて設けた接触部と、を有し、
前記手差台を上方へ回動させて閉じかつ前記機器の側面に対して収納する動作を行う際に、前記アームの接触部が前記手差台に当たり、前記アームを上方へ回動させて前記機器の側面に対して近づける、
ことを特徴とする給紙装置。
【請求項２】
請求項１に記載の給紙装置において、
前記アームの接触部が、前記アームの先端に設けてあることを特徴とする給紙装置。
【請求項３】
請求項１又は２に記載の給紙装置において、
前記手差台を前記機器の側面に対して収納する動作を行う際に、前記アームの接触部が前記手差台の上面に鋭角に当たることを特徴とする給紙装置。
【請求項４】
請求項１乃至３のいずれかに記載の給紙装置において、
前記アームの回動中心が前記手差台の回動中心より前記用紙搬送方向で下流側に位置することを特徴とする給紙装置。
【請求項５】
請求項１乃至４のいずれかに記載の給紙装置において、
前記アームの接触部が前記手差台の上面に当たる際に隙間が生じる形状を前記アームの接触部が有することを特徴とする給紙装置。
【請求項６】
請求項１乃至５のいずれかに記載の給紙装置を搭載した機器であって、
該機器の前記側面に、前記手差台を収納すると共に前記アームを退避させ得る空間部を設けたことを特徴とする機器。
【請求項７】
請求項１乃至５のいずれかに記載の給紙装置を搭載したことを特徴とする画像形成装置。
【発明の詳細な説明】
【技術分野】
【０００１】
本発明は、開閉収納可能な手差台とピックアップローラを有し、用紙を給紙部に送り込む給紙装置及び該給紙装置を有する画像形成装置に関する。
【背景技術】
【０００２】
開閉収納可能な手差台とピックアップローラを有し、用紙を給紙部に送り込む給紙装置及び該給紙装置を有する画像形成装置が既に知られている。
【０００３】
しかし、用紙搬送方向、ピックアップローラの突出方向が、機械幅方向の場合、手差台を収納する場所は、ピックアップローラのスペースの機械幅方向外側となる。そのため、用紙搬送路やピックアップローラ、送り出しローラが機械外側にはみだしてしまい、機械幅サイズがその分だけ大きくなるという問題があった。
【０００４】
特許文献１には、ピックアップローラを手差し用、下段給紙用の両方で使用する目的で、手差台の開閉収納に連動して待機位置を変動させることが開示されている。しかし、手差し台を収納する場所がやはりピックアップローラのスペースの機械幅方向外側になるため、機械幅サイズがその分だけ大きくなるという問題は解消できていない。
【発明の概要】
【発明が解決しようとする課題】
【０００５】
本発明は以上の問題点にかんがみてなしたものであり、給紙装置、及び該給紙装置を有する画像形成装置において、機械幅サイズを小さくすることを目的とする。
【課題を解決するための手段】
【０００６】
本発明の給紙装置は、設置された機器の側面に対して開閉動可能な用紙の手差台と、該手差台上に載置された用紙を次工程へ送り込むピックアップローラと、前記ピックアップローラを保持するとともに前記機器の側面に対して前記ピックアップローラとともに開閉動可能としたアームと、該アームに、前記ピックアップローラよりも前記手差台からの用紙搬送方向で上流側へ突出させて設けた接触部とを有し、前記手差台を上方へ回動させて閉じかつ前記機器の側面に対して収納する動作を行う際に、前記アームの接触部が前記手差台に当たり、前記アームを上方へ回動させて前記機器の側面に対して近づけることを特徴とする。
【発明の効果】
【０００７】
本発明によれば、給紙装置において手差台の収納位置を従来よりも機械の内側へシフトさせ得るため、機械幅サイズを小さくでき、ひいてはこの給紙装置を有する画像形成装置の設置スペースを小さくしてスペースの有効活用を図り得るものとなる。
【図面の簡単な説明】
【０００８】
【図１】本発明の実施対象となる画像形成装置としての複写機の一例を示す概略構成図
【図２】本発明の実施形態１に係る手差給紙部の構成を概念的に示す図
【図３】実施形態１に係る手差給紙部の動作を従来の構造例と比べて概念的に示す図
【図４】実施形態１のピックアップアーム周辺部について示す斜視図
【図５】実施形態１の動作を示す図３相当の図
【図６】実施形態１の動作を示す図
【図７】実施形態１の動作過程を示す図
【図８】実施形態１の手差しトレイの上面とピックアップアームの先端接触部の先端面に接触開始時において生じる隙間を示す図
【図９】本発明の実施形態２を示す図
【発明を実施するための形態】
【０００９】
以下、図面を参照して本発明の実施形態を説明する。
本発明の実施の形態は、開閉収納式手差台の省スペース化に際して、以下の特徴を有する。要するに、
【００１０】
ピックアップローラを保持するピックアップアームの位置を、給紙待機位置と給紙位置に切り替え可能とする。給紙位置で用紙を給紙する。給紙待機位置は給紙位置とは別の場所で、そこへピックアップアームを移動させることで、その分のスペースを手差台の収納スペースとして使用でき、
【００１１】
そして、給紙待機位置へのピックアップアームの移動は、手差台の開閉と連動させる。手差台を閉める動作だけで、ピックアップアーム、ピックアップローラが移動して空いた空間に手差台を収納でき、機械幅サイズを小さくすることができる。
【００１２】
なお本実施形態は給紙装置及び該給紙装置を有する複写機、プリンタ、ファクシミリ、これらの複合機等の画像形成装置に関するが、本発明は図示の実施形態のものには限定されない。
【００１３】
＜実施形態１＞
【００１４】
図１は本発明の実施対象となる画像形成装置としての複写機の一例を示す概略構成図である。設置された機器である画像形成装置本体１００はこれも本発明の実施対象となる給紙装置３００を備え、給紙装置３００は手差給紙部７３を備えている。
【００１５】
この画像形成装置は、画像形成装置本体１００上に画像読取装置２００を備え、画像形成装置本体１００及び画像読取装置２００は、テーブル状の給紙装置３００上に載置されている。また、画像読取装置２００の上には、開閉自在に原稿自動搬送装置４００が配置されている。
【００１６】
画像形成装置本体１００は、その内部に像担持体としてドラム状の感光体１０を備える。感光体１０の周囲には、図中左側に帯電装置１１が配置され、感光体１０の回転方向（反時計方向：図中矢印Ａ）に沿って、現像装置１２、転写装置１３、クリーニング装置１４が配置されている。転写装置１３は、上下のローラ１５、１６の間に転写ベルト１７を掛け回して構成され、転写ベルト１７を転写位置Ｂで感光体１０の周面に押し当てる。
【００１７】
図中帯電装置１１及びクリーニング装置１４の左側には現像装置１２に新しいトナーを補給するトナー補給装置２０が配置されている。また、画像形成装置本体１００の内部には、用紙、ＯＨＰシート等のシートを後述する供給位置から送り出し、転写位置Ｂを経てスタック位置まで搬送するシート搬送装置Ｃが配置されている。シート搬送装置Ｃは、後述する供給路Ｒ１、手差し供給路Ｒ２、及びシート搬送路Ｒを備えている。シート搬送路Ｒは、感光体１０と転写装置１３間を通って図中の下から上へと伸びてから左に曲がる略Ｌ字状をなしている。
【００１８】
そして、シート搬送路Ｒには、感光体１０の上流位置にレジストローラ２１が配置されている。また、感光体１０の下流位置には、定着装置２２が配置されている。定着装置２２には、一対の定着ローラ（定着ローラ回転体）３０、３２を備えている。一方の定着ローラ３０の内部には定着ヒータ２３が配置され、他方の定着ローラ３２の周囲には加圧スプリング２５、加圧アーム２６が配置される。加圧スプリング２５、加圧アーム２６により、一方の定着ローラ３０には、他方の定着ローラ３２が押し当てられる。また、一方の定着ローラ３０には、サーミスタ２８、及びサーモスタット２９が配置されている。
【００１９】
そして、サーミスタ２８により定着ローラ３０の温度を測定しつつ、サーモスタット２９により定着ヒータ２３をオン、またはオフすることにより、定着ローラ３０を所定の温度に保つ。
【００２０】
定着装置２２のさらに下流には、排出分岐爪３４、排出ローラ３５、第１加圧ローラ３６、第２加圧ローラ３７、腰付ローラ３８が配置され、その先に、画像形成済みのシートをスタックする排出スタック部（排出位置）３９が配置されている。
【００２１】
画像形成装置本体１００は、図中右側面に、スイッチバック装置４２を備えている。スイッチバック装置４２は、シート搬送路Ｒの排出分岐爪３４位置から分岐し、一対のスイッチバックローラ４３を備えるスイッチバック位置４４まで導く反転路Ｒ３を備える。また、スイッチバック位置４４から、再びシート搬送路Ｒのレジストローラ２１まで導く再搬送路Ｒ４とを有するシート搬送装置Ｄとを備える。また、シート搬送装置Ｄは、シートを搬送する複数のシート搬送ローラ６６（シート搬送回転体）を備える。
【００２２】
現像装置１２の図中左側には、レーザ書込装置４７が配置されている。レーザ書込装置４７は、不図示のレーザ光源、走査用の回転多面鏡４８、ポリゴンモータ４９、ｆθレンズ等の走査光学系５０などを備える。画像読取装置２００は、光源５３、複数のミラー５４、結像用光学レンズ５５、ＣＣＤ等のイメージセンサ５６などを備え、上面にはコンタクトガラス５７が配置される。
【００２３】
コンタクトガラス５７の上に配置される原稿自動搬送装置４００は、原稿の載置位置に不図示の載置台を備える。また排出位置に不図示の排出台を備える他、原稿などのシートを、載置台から画像読取装置２００のコンタクトガラス５７上の読取位置を経て排出台まで搬送する不図示の原稿搬送路を有するシート搬送装置を備える。シート搬送装置は、原稿などのシートを搬送する不図示のシート搬送ローラ（シート搬送回転体）を複数個備える。
【００２４】
給紙装置３００は、内部に、シートＳの供給位置である用紙分離装置６１を多段に備える。各用紙分離装置６１は、それぞれ対応してピックアップローラ６２（給送ローラ）、フィードローラ６３（給送ローラ）、リーバースローラ６４（分離ローラ）を備える。多段に配置された用紙分離装置６１の図中右側には画像形成装置本体１００のシート搬送路Ｒへと通じる供給路Ｒ１が形成される。供給路Ｒ１は、シートを搬送するいくつかのシート搬送ローラ６６（シート搬送回転体）を備える。
【００２５】
手差給紙部７３は、画像形成装置本体１００の図中右側面に対して開閉動可能に配置される。手差給紙部７３は、手差しトレイ６７（供給位置）を開閉自在に備えるとともに、手差しトレイ６７上にセットした手差しシートをシート搬送路Ｒへと導く手差し供給路Ｒ２を備える。手差しトレイ６７は、ピックアップローラ６２（給送ローラ）、フィードローラ６３（給送ローラ）、リーバースローラ６４を備える。
【００２６】
この複写機を用いてコピーを生成するには、不図示のメインスイッチをオンするとともに、原稿自動搬送装置４００に原稿をセットする。または、原稿自動搬送装置４００を開いて画像読取装置２００のコンタクトガラス５７上に直接原稿をセットし、原稿自動搬送装置４００を閉じてそれで押さえる。
【００２７】
そして、不図示のスタートスイッチを押すと、原稿自動搬送装置４００に原稿をセットしたときは、原稿をシート搬送ローラにより原稿搬送路を通す。そして、コンタクトガラス５７上へと移動してから画像読取装置２００を駆動し、原稿内容を読み取って排出台上に排出する。一方、コンタクトガラス５７上に直接原稿をセットしたときは直ちに画像読取装置２００を駆動する。
【００２８】
画像読取装置２００を駆動すると、画像読取装置２００は、光源５３をコンタクトガラス５７に沿って移動する。また光源５３からの光をコンタクトガラス５７上の原稿面で反射し、その反射光を複数のミラー５４で反射する。そして、結像用光学レンズ５５を経て、イメージセンサ５６に入れ、そのイメージセンサ５６で原稿内容を読み取る。
【００２９】
また、このとき同時に、不図示の感光体駆動モータで感光体１０を回転し、まず図示例では帯電ローラを用いた帯電装置１１で表面を一様に帯電させる。次いで上述の画像読取装置２００で読み取った原稿内容に応じてレーザ光を照射してレーザ書込装置４７で書き込みを行う。そして、感光体１０の表面に静電潜像を形成し、そののち現像装置１２でトナーを付着してその静電潜像を可視像化する。
【００３０】
また、スタートスイッチを押したとき同時に、給紙装置３００中に多段に備える複数の用紙分離装置６１中の対応する用紙分離装置６１内からピックアップローラ６２によりシートＳを送り出す。続いてフィードローラ６３、リーバースローラ６４で１枚ずつ分離する。また搬送しながら供給路Ｒ１に入れ、シート搬送ローラ６６で搬送してシート搬送路Ｒへと導き、レジストローラ２１に突き当てて止める。そして、上述した感光体１０の可視像化した画像の回転にタイミングを合わせてレジストローラ２１を回転し、感光体１０の右側へと送り込む。
【００３１】
または、手差給紙部７３の手差台（以下、手差しトレイという）６７を開けて、手差しトレイ６７上にセットした手差しシートＰをピックアップローラ６２により送り出す。そして、続くフィードローラ６３、分離ローラ６４で１枚ずつ分離するとともに搬送しながら手差し供給路Ｒ２に入れ、シート搬送ローラ６６で搬送してシート搬送路Ｒへと導く。そして同じくレジストローラ２１で感光体１０の回転にタイミングを合わせて該感光体１０の右側へと送り込む。
【００３２】
次いで、感光体１０の右側へと送り込んだシートＳに、転写ベルト１７を有する転写装置１３により転写位置Ｂで感光体１０上の画像を転写して画像を形成する。画像転写後の感光体１０上の残留トナーはクリーニング装置１４で除去して清掃し、不図示の除電装置で感光体１０上の残留電位を除去して帯電装置１１からはじまる次の画像形成に備える。
【００３３】
一方、画像転写後のシートＳは、転写ベルト１７で搬送して定着装置２２の一対の定着ローラ３０、３２間を通し、それらにより熱と圧力を加えて該定着装置２２で転写画像を定着する。その後、排出ローラ３５、第１加圧ローラ３６、第２加圧ローラ３７、腰付ローラ３８により、シートに腰を付けて、排出スタック部３９上に排出してそこにスタックする。
【００３４】
なお、シートの両面に画像を転写する場合、排出分岐爪３４を切り替える。そして、表面に画像を転写したシートを、シート搬送路Ｒから反転路Ｒ３に入れ、シート搬送ローラ６６で搬送してスイッチバック位置４４へ入れる。そのスイッチバック位置４４でスイッチバックしてから、再搬送路Ｒ４に入れ反転して、シート搬送ローラ６６で搬送して、再び、シート搬送路Ｒに導き、前述と同様にしてシートの裏面にも画像を転写する。
【００３５】
図２は、記録媒体収納装置である手差給紙部７３の実施形態１に係る構成を概念的に示す図である。また図３は、実施形態１に係る手差給紙部７３の動作を従来の構造例と比べて概念的に示す図である。
【００３６】
画像形成装置本体１００の機械端部壁１００ａには凹部１００ｂが設けてある。この凹部１００ｂに対して、手差給紙部７３の手差しトレイ６７が開閉収納可能に設けてある。図２では手差しトレイ６７は開き状態で、その上にシートＳを載せてある。なお手差しトレイ６７はシートＳを１枚だけ搭載できるものでも、複数枚搭載できるものでもいずれでも良い。
【００３７】
ピックアップローラ６２はピックアップアーム６０に取り付けてあり、ピックアップアーム６０が待機位置（図中実線で示す位置）から給紙位置（同破線で示す位置）へ図示しないソレノイド等の駆動手段を用いた駆動により回転して当接する。また図示しない駆動手段との連結により、ピックアップローラ６２は回転し、次工程の給紙を行うフィードローラ６３と分離ローラ６４のニップへとシートＳを搬送する。そして、送られた１枚ないし複数枚のシートＳはフィードローラ６３と分離ローラ６４とによる公知の分離機能により１枚に分離され、さらに次工程へ搬送される。なおピックアップアーム６０の回動中心は手差トレイ６７の回動中心よりも用紙搬送方向で下流側に位置する。
【００３８】
なお図２の例ではピックアップアーム６０はフィードローラ６３の駆動軸６３ａを中心に回転運動をする形態である。この構造は、別の軸を中心とする回転であったり、平行に移動する方式であってもよい。
【００３９】
また、図示はしないが、開閉方式ではなく昇降方式の手差台も採用できる。その場合、ピックアップローラ６２の位置を変えずに、手差しトレイ６７上でのシートＳの高さを手差しトレイ６７自体で操作、可変させてピックアップローラ６２と接触させることも可能である。
【００４０】
この例では、シートＳを積載しない場合は、手差しトレイ６７は閉じて凹部１００ｂに収納できる。すなわち給紙位置（同破線で示す位置）から収納位置（実線）へ回転移動させることで、画像形成装置本体１００に設けた退避用の空間部である凹部１００ｂ内へ図示のように収納できる。このことにより、機械端部壁１００ａから手差しトレイ６７が飛び出ている状態を解消し、サイズ的に従来よりも小さい（図示の例では図の左右方向での幅が小さい）状態へ変形する。
【００４１】
具体的には、手差しトレイ６７を閉じるとピックアップアーム６０は待機位置（破線）から凹部１００ｂ内移動、退避する（実線で示す状態）。その結果、手差しトレイ６７も画像形成装置本体１００の凹部１００ｂ内へ収納される。従来の場合、ピックアップローラ６２の位置が変わらないため、手差しトレイ６７を閉じ得る範囲がピックアップローラ６２に当たる位置までとなる。すなわち図中に一点鎖線で示す位置までとなる。この差の分、本実施形態では機械サイズを小さくすることに資すると言える。換言すれば、従来の構造では、ピックアップローラ６２の位置が回転しないために本実施形態よりも図中右側へ出っ張ってしまい、その分だけサイズが大きいということになる。
【００４２】
以下に本発明の実施形態１のより詳細な構成を説明する。
図４は、本実施形態のピックアップアーム６０周辺部について示す斜視図である。図示のようにピックアップアーム６０はフィードローラ６３の駆動軸６３ａを中心に回転運動するが、同軸方向に伸びる筒状部６０ａを備えており、その外周にトーションスプリング６８を備えている。トーションスプリング６８は、一端部６８ａを筒状部６０ａに、他端部６８ｂを画像形成装置本体１００側の図示しない固定部に引っ掛けてある。このトーションスプリング６８による筒状部６０ａへの付勢力により、ピックアップアーム６０に取り付けたピックアップローラ６２がシートＳに対して押し付けられる。
【００４３】
ピックアップアーム６０等を上述した待機位置へとどめるために、画像形成装置本体１００側の図示しないストッパが、係止凸部６０ｂを押さえている。このストッパを例えば昇降動作可能とし、その昇降動作によってピックアップアーム６０の回動範囲を規定すれば、ピックアップローラ６２の給紙時の高さ位置も移動させ得る。
【００４４】
トーションスプリング６８は、ピックアップアーム６０とこれに設けたバネ受け部６０ｃにより保持する。図示はしないが、トーションスプリング６８の軸線方向の中央部では、筒状部６０ａとの間に空間を設ける構成とするとよい。フィードローラ６３の駆動軸６３ａにトーションスプリング６８を直接巻きつけて、さらに隙間を作るだけの余裕を考慮してトーションスプリング６８の径を大きくしなくてもよくなる。そして、その分だけトーションスプリング６８の内径を小さくすることができ、省スペース化を図れる。
【００４５】
なおトーションスプリングを用いずに別の手段、例えば引っ張り式スプリングで、ピックアップアーム６０を上方向へ引っ張る構成も可能である。ただし、アーム状の部材を用いた方が回転量を大きくとれる。これに対応するためにスプリングを用いた場合にはバネ長を大きく取る必要が有る。したがってトーションスプリングを用いたほうが省スペース化に有利であるとは言える。もちろん本発明ではどちらを採用しても良い。
【００４６】
またピックアップアーム６０は、ピックアップローラ６２よりも手差しトレイ６７側（図では右側）へ出っ張る先端接触部６０ｄを備えている。先端接触部６０ｄの先端の角度は、ピックアップアーム６０の回転軸である駆動軸６３ａから見て手差しトレイ６７の上面に対して鋭角に当てることができる形状としてある。図示の例では待機状態で下側が画像形成装置本体１００側へ引っ込む斜面形状としてあり、かつ最先端部を手差しトレイ６７側へ突出する曲面としてある。
【００４７】
図５は実施形態１の動作を示す図３相当の図である。
【００４８】
手差しトレイ６７を閉じて収納方向（図では反時計方向）へ回転させると、ピックアップアーム６０の先端接触部６０ｄがまず手差しトレイ６７に当たる。これは、先端接触部６０ｄがピックアップローラ６２よりも外側（図では右側：用紙搬送方向で上流側となる）へ突出しているためである。
【００４９】
このとき、ピックアップアーム６０の先端接触部６０ｄが手差しトレイ６７に対して鋭角に当たることで、自然と手差しトレイ６７に沿ってピックアップアーム６０が押し上げられる方向に力が掛かる。これにより、特に別途の駆動機構部品を追加することなくピックアップアーム６０を手差しトレイ６７の動作に連動させて移動させることが可能となる。その状態を図６に示す。
【００５０】
ピックアップアーム６０の先端接触部である先端接触部６０ｄが手差しトレイ６７の開閉過程で手差しトレイ６７の上面と当たる角度を鋭角、すなわち９０度未満とする。これにより、手差しトレイ６７の開閉操作だけでピックアップアーム６０を押し上げたり、待機位置まで下げたりできる。なお先端接触部６０ｄが手差しトレイ６７の開閉過程で手差しトレイ６７の上面と当たる角度の初期値（初期接触角度）でピックアップアーム６０が手差しトレイ６７の開閉動作に連動できるかが決定する。そんため、前記初期値が適当な角度となるように構成する必要が有ることはもちろんである。
【００５１】
また図６に示すように、手差しトレイ６７を閉じていくに連れて、ピックアップアーム６０が押し上げられ、そのために先端接触部６０ｄが手差しトレイ６７の上面と当たる角度はさらに小さくなり、接触抵抗も小さくなる。なお図６では凹部１００ｂが２段になって画像形成装置本体１００の内側へ凹む構造に形成してあるが、凹部の形状はもちろんこの例の形状には限定されない。
【００５２】
さらに図７に示すように、手差しトレイ６７の上面とピックアップアーム６０の先端接触部６０ｄの先端面は、接触開始時には隙間ｃｌができるように構成することが好ましい。手差しトレイ６７をさらに閉める方向へ回動させたときに、ピックアップアーム６０が上方へ移動する力が掛かる。このとき隙間ｃｌがあるためにその力を逃がし、ピックアップアーム６０に大きな力が掛からないようにできる。なお、隙間が無い場合、先端接触部６０ｄの先端面と手差しトレイ６７の上面がぴったりと当接して摩擦力が大きくなったり、先端接触部６０ｄの先端が手差しトレイ６７の上面に食い込んだりすることで動作し得なくなる場合がありえる。
【００５３】
さらに本実施形態では、ピックアップアーム６０の係止凸部６０ｂが手差しトレイ６７の収納時にピックアップアーム６０と共に回転し、用紙搬送面（手差しトレイ６７からフィードローラ６３と分離ローラ６４のニップを結ぶ面）よりも下方へ突出する。すなわち分離ローラ６４側へ突出する。これにより、過ってシートＳが搬送されることを防げる。なお、係止凸部６０ｂが用紙搬送面より下方へ突出するが、図示の例ではローラ等に当たることはない。
【００５４】
なお必要に応じて搬送面に位置する部材を切り欠いて干渉しないようにすることが必要な場合も有り得る。切り欠きを設ければ、手差しトレイ６７とピックアップアーム６０の回動量が従来よりも大きくなってもピックアップアーム６０、特にその先端側の部分が画像形成装置本体１００と干渉することを回避しやすくなる。
【００５５】
またなお、手差しトレイ６７とピックアップアーム６０の回動方向を用紙搬送面より上方とすることで画像形成装置本体１００の機械端部壁１００ａに凹部１００ｂを設けるのは比較的簡単に行える。
【００５６】
＜実施形態２＞
図９は本発明の実施形態２を示す。
【００５７】
本実施形態は、ピックアップアーム６０の先端接触部６０ｄに回転コロ６０ｅを搭載している。そのため手差しトレイ６７の上面との接触時の負荷をいっそう減らせる。そのことで、手差しトレイ６７をさらに閉める方向へ回動させたとき、摩擦力を提言させてピックアップアーム６０の上方への移動をさらにスムーズにし、また接触時の傷の発生なども防止できる。なお、ピックアップローラ６２を直接に手差しトレイ６７上面へ接触させて持ち上げても良いが、ピックアップローラ６２の回転負荷が大きくなることに留意する必要がある。
【００５８】
本発明は以上説明した実施形態に限定されるものではなく、多くの変形が本発明の技術的思想内で当分野において通常の知識を有する者により可能である。
【符号の説明】
【００５９】
１０      ：感光体
１１      ：帯電装置
１２      ：現像装置
１３      ：転写装置
１４      ：クリーニング装置
１５      ：ローラ
１７      ：転写ベルト
２０      ：トナー補給装置
２１      ：レジストローラ
２２      ：定着装置
２３      ：定着ヒータ
２５      ：加圧スプリング
２６      ：加圧アーム
２８      ：サーミスタ
２９      ：サーモスタット
３０      ：定着ローラ
３２      ：定着ローラ
３４      ：排出分岐爪
３５      ：排出ローラ
３６      ：第１加圧ローラ
３７      ：第２加圧ローラ
３８      ：腰付ローラ
３９      ：排出スタック部
４２      ：スイッチバック装置
４３      ：スイッチバックローラ
４４      ：スイッチバック位置
４７      ：レーザ書込装置
４８      ：回転多面鏡
４９      ：ポリゴンモータ
５０      ：走査光学系
５３      ：光源
５４      ：ミラー
５５      ：結像用光学レンズ
５６      ：イメージセンサ
５７      ：コンタクトガラス
６０      ：ピックアップアーム
６０ａ    ：筒状部
６０ｂ    ：係止凸部
６０ｃ    ：バネ受け部
６０ｄ    ：先端接触部
６０ｅ    ：回転コロ
６１      ：用紙分離装置
６２      ：ピックアップローラ
６３      ：フィードローラ
６３ａ    ：駆動軸
６４      ：分離ローラ（リーバースローラ）
６６      ：シート搬送ローラ
６７      ：手差しトレイ
６８      ：トーションスプリング
６８ａ    ：一端部
６８ｂ    ：他端部
７３      ：手差給紙部
１００    ：画像形成装置本体
１００ａ  ：機械端部壁
１００ｂ  ：凹部
２００    ：画像読取装置
３００    ：給紙装置
４００    ：原稿自動搬送装置
Ｓ        ：シート
ｃｌ      ：隙間
【先行技術文献】
【特許文献】
【００６０】
【特許文献１】特許３３２８４６４号公報
【図１】
2014125333.tif 000003
【図２】
2014125333.tif 000004
【図３】
2014125333.tif 000005
【図４】
2014125333.tif 000006
【図５】
2014125333.tif 000007
【図６】
2014125333.tif 000008
【図７】
2014125333.tif 000009
【図８】
2014125333.tif 000010
【図９】
2014125333.tif 000011